(57)【要約】【課題】表示される映像の輝度が低下するのを抑制することが可能な表示装置を提供する。【解決手段】この表示装置１００は、第１表示領域の観察者に映像を提供する蛍光体層５（５ａ、５ｂおよび５ｃ）がそれぞれ設けられた第１傾斜面２ｂと、第２表示領域の観察者に映像を提供する蛍光体層５（５ａ、５ｂおよび５ｃ）がそれぞれ設けられた第２傾斜面２ｃとを含み、蛍光体層５は面発光するとともに、第１傾斜面２ｂおよび第２傾斜面２ｃに設けられている。【選択図】図３
2010091767.tif 000002
【特許請求の範囲】
【請求項１】
光源と、
光源から照射された光量を調整する光調整部と、
前記光調整部から照射された光により映像を表示する表示面と、
前記表示面に沿って設けられ、前記光調整部から照射された光により面発光する発光体層とを備え、
前記表示面は、第１の観察領域に画像を提供する第１表示面と、第２の観察領域に画像を提供する第２表示面とを含む、表示装置。
【請求項２】
前記光調整部は、平面的に見て、前記表示面の前記第１表示面または前記第２表示面と重なるように配置された複数の画素が設けられ、
前記表示面には、前記光調整部の各々の前記画素に対応する位置に、前記各々の画素に対応する色を発光する前記発光体層が設けられている、請求項１に記載の表示装置。
【請求項３】
前記発光体層は、前記第１表示面に設けられる第１発光体層と、前記第２表示面に設けられる第２発光体層とを含み、
前記第１発光体層の発光する光、および、前記第２発光体層の発光する光の照射される範囲を制限する遮光膜をさらに備える、請求項１または２に記載の表示装置。
【請求項４】
前記発光体層は、前記第１表示面に設けられる第１発光体層と、前記第２表示面に設けられる第２発光体層とを含み、
少なくとも前記第１表示面として構成された第１傾斜面および前記第２表示面として構成された第２傾斜面を有する凸形状に形成された基材をさらに備え、
前記第１発光体層および前記第２発光体層は、それぞれ、前記基材の前記第１傾斜面および前記第２傾斜面に沿って設けられている、請求項１〜３のいずれか１項に記載の表示装置。
【請求項５】
前記基材は、前記第１傾斜面および前記第２傾斜面を有する三角形状の凸形状の断面構造を有するように形成されている、請求項４に記載の表示装置。
【請求項６】
前記基材を覆うように形成された平坦化膜をさらに備え、
前記遮光膜は、前記平坦化膜の表面に形成されるとともに、前記基材における前記第１傾斜面と前記第２傾斜面とにより形成される稜線部に対応する前記平坦化膜の表面に前記稜線部と所定の間隔を隔てて配置されている、請求項５に記載の表示装置。
【請求項７】
前記遮光膜は、前記三角形状の基材における前記第１傾斜面と前記第２傾斜面とにより形成される稜線部に接触するように配置されている、請求項５に記載の表示装置。
【請求項８】
前記基材は、前記第１傾斜面および前記第２傾斜面を有する台形状の凸形状の断面形状を有するように形成され、
前記表示面は、前記台形状の基材の平坦な上面に、第３の観察領域に画像を提供する第３表示面をさらに備え、
前記発光体層は、前記第３表示面に対応して第３発光体層が設けられている、請求項４に記載の表示装置。
【請求項９】
前記光調整部により、前記第３発光体層が設けられる前記第３表示面から映像を表示させる場合と表示させない場合とが切替可能に構成されている、請求項８に記載の表示装置。
【請求項１０】
前記発光体層は、前記第１表示面に設けられる第１発光体層と、前記第２表示面に設けられる第２発光体層とを含み、
前記表示面とされる表面が平面状に形成された基材と、
前記平面状の基材の表面上に設けられ、前記基材の表面を前記第１表示面と前記第２表示面とに分割するための遮光壁部とをさらに備える、請求項１または２に記載の表示装置。
【発明の詳細な説明】
【技術分野】
【０００１】
本発明は、表示装置に関する。
【背景技術】
【０００２】
従来、観察位置の異なる複数の観察者に対して異なる映像を表示する二重映像表示を行う表示装置が知られている（たとえば、特許文献１）。上記特許文献１には、一対の基板間に、液晶層と、カラーフィルタと、視差バリア層とを備えた液晶表示装置が開示されている。上記特許文献１に開示された液晶表示装置では、一対の基板間に、平面的に見てマトリクス状に形成された画素領域が設けられているとともに、画素領域を覆うように視差バリア層が配置されている。視差バリア層は、透過領域および遮光領域が交互に設けられたストライプ状に形成されているとともに、視差バリア層の各遮光領域が、それぞれ２列分の画素に跨るようにして、その２列の画素を略半分ずつ遮光するように配置されていることにより、右側が遮光された画素と左側が遮光された画素とが交互に配置されている。これにより、たとえば、右側半分が遮光された画素から照射される光は左側の観察者にのみ到達するとともに、左側半分が遮光された画素から照射される光は右側の観察者にのみ到達することによって、左右の異なる観察者に対して異なる映像が供給されるように構成されている。
【０００３】
【特許文献１】特開２００５−２５８０１６号公報
【発明の開示】
【発明が解決しようとする課題】
【０００４】
しかしながら、上記特許文献１に記載の液晶表示装置では、左右の異なる観察者に対して異なる映像を表示するために、反対側の観察者に対しては光を到達しないように視差バリア層により各画素をそれぞれ略半分ずつ遮光するように構成されている。このため、全体的に、各画素から照射される光の略半分しか使用されない構成となる。すなわち、視差バリア層により光を遮光する分、光の開口率が小さくなることから、その分、表示される映像の輝度が低下するという問題点がある。
【０００５】
この発明は、上記のような課題を解決するためになされたものであり、この発明の１つの目的は、表示される映像の輝度が低下するのを抑制することが可能な表示装置を提供することである。
【課題を解決するための手段】
【０００６】
この発明の一の局面による表示装置は、光源と、光源から照射された光量を調整する光調整部と、光調整部から照射された光により映像を表示する表示面と、表示面に沿って設けられ、光調整部から照射された光により面発光する発光体層とを備え、表示面は、第１の観察領域に画像を提供する第１表示面と、第２の観察領域に画像を提供する第２表示面とを含む。
【０００７】
上記一の局面による表示装置では、上記のように、第１の観察領域内の観察者に画像を提供する第１表示面と第２の観察領域内の観察者に画像を提供する第２表示面とをそれぞれ設けるとともに、第１表示面および第２表示面に、それぞれ、光調整部から照射された光により面発光する発光体層を設けることによって、視差バリア層を用いることなく、第１の観察領域内の観察者には第１表示面の映像を到達させることができるとともに、第２の観察領域内の観察者には、第２表示面の映像を到達させることができる。したがって、映像表示のために各々の画素が略半分ずつしか使用されない従来の視差バリア層を設ける場合に比べて光の供給率（開口率）が高くなるので、その分、表示される映像の輝度が低下するのを抑制することができる。また、第１表示面および第２表示面にそれぞれ設けられた発光体層が面発光するので、第１の観察領域および第２の観察領域のそれぞれにおいて、視角に依存しない均一な特性を得ることができる。さらに、光の一部が吸収されるカラーフィルタにより表示を行う場合に比べて、より高輝度な映像を表示することができる。
【０００８】
上記一の局面による表示装置において、好ましくは、光調整部は、平面的に見て、表示面の第１表示面または第２表示面と重なるように配置された複数の画素が設けられ、表示面には、光調整部の各々の画素に対応する位置に、各々の画素に対応する色を発光する発光体層が設けられている。このように構成すれば、光調整部の各画素からの光がそれぞれ対応する発光体層に照射されるので、第１表示面および第２表示面に確実に映像を表示することができる。また、発光体層が各画素の位置に対応するように設けられているので、容易に、各画素毎に対応する色に面発光させることができる。
【０００９】
上記一の局面による表示装置において、好ましくは、発光体層は、第１表示面に設けられる第１発光体層と、第２表示面に設けられる第２発光体層とを含み、第１発光体層の発光する光、および、第２発光体層の発光する光の照射される範囲を制限する遮光膜をさらに備える。このように構成すれば、遮光膜により第１表示面の観測可能範囲および第２表示面の観測可能範囲を容易に調整することができる。
【００１０】
上記一の局面による表示装置において、好ましくは、発光体層は、第１表示面に設けられる第１発光体層と、第２表示面に設けられる第２発光体層とを含み、少なくとも第１表示面として構成された第１傾斜面および第２表示面として構成された第２傾斜面を有する凸形状に形成された基材をさらに備え、第１発光体層および第２発光体層は、それぞれ、基材の第１傾斜面および第２傾斜面に沿って設けられている。このように構成すれば、傾斜面を有する基材が発光体層を設けることにより表示面として構成されるので、表示面が傾斜している分、発光体層が観察者に対して対向する領域が大きくなる。したがって、より表示される映像の輝度を高くすることができる。
【００１１】
この場合、好ましくは、基材は、第１傾斜面および第２傾斜面を有する三角形状の凸形状の断面構造を有するように形成されている。このように構成すれば、三角形状の一方の傾斜面からなる第１傾斜面がそのまま第１表示面として構成されるとともに、三角形状の他方の傾斜面からなる第２傾斜面がそのまま第２表示面として構成されるので、確実に各々の観察者に対して輝度の高い映像を供給することができる。また、この場合、各傾斜面に対して画素を１つずつ対応させるように配置すれば、１つの画素からの光の半分を供給する従来の表示装置に比べて、より輝度が高く、精細な画像を供給することができる。
【００１２】
上記第１傾斜面および第２傾斜面を有する三角形状の基材を備えた構成において、好ましくは、基材を覆うように形成された平坦化膜をさらに備え、遮光膜は、平坦化膜の表面に形成されるとともに、基材における第１傾斜面と第２傾斜面とにより形成される稜線部に対応する平坦化膜の表面に稜線部と所定の間隔を隔てて配置されている。このように構成すれば、遮光膜を第１傾斜面と第２傾斜面との境界部分において、第１傾斜面および第２傾斜面からの光が互いに反対側の表示領域側に向けて照射されるのを抑制することができる。
【００１３】
上記第１傾斜面および第２傾斜面を有する三角形状の基材を備えた構成において、好ましくは、遮光膜は、三角形状の基材における第１傾斜面と第２傾斜面とにより形成される稜線部に接触するように配置されている。このように構成すれば、遮光膜が三角形状の基材の第１傾斜面と第２傾斜面との境界部分に接触するように直接形成されるので、第１傾斜面と第２傾斜面との境界部分において第１傾斜面および第２傾斜面からの光が互いに反対側の表示領域側に照射されるのをより確実に抑制することができる。
【００１４】
上記少なくとも第１傾斜面および第２傾斜面を有する基材を備えた構成において、好ましくは、基材は、第１傾斜面および第２傾斜面を有する台形状の凸形状の断面形状を有するように形成され、表示面は、台形状の基材の平坦な上面に、第３の観察領域に画像を提供する第３表示面をさらに備え、発光体層は第３表示面に対応して第３発光体層が設けられている。このように構成すれば、第１表示面および第２表示面に加えて、第３表示面から第３の観察領域の観察者に対して画像を提供することができる。また、台形状の基材の上面が第３表示面として構成されているので、たとえば、基材の上面を表示装置の正面方向に平行になるように設けることによって、表示装置の正面方向に映像を表示することができる。
【００１５】
この場合、好ましくは、光調整部により、第３発光体層が設けられる第３表示面から映像を表示させる場合と表示させない場合とが切替可能に構成されている。このように構成すれば、必要に応じて第３表示面からの映像を表示させる場合と表示させない場合とを選択することができる。
【００１６】
上記一の局面による表示装置において、好ましくは、発光体層は、第１表示面に設けられる第１発光体層と、第２表示面に設けられる第２発光体層とを含み、表示面とされる表面が平面状に形成された基材と、平面状の基材の表面上に設けられ、基材の表面を第１表示面と第２表示面とに分割するための遮光壁部とをさらに備える。このように構成すれば、基材が平面状に形成されながら遮光壁部により第１表示面と第２表示面とに分割されるので、基材を突起形状に形成する場合に比べて容易に形成することができる。また、面発光する発光体層を設けることにより、平面状の基材を表示面として用いながら観察位置によって異なる高輝度の映像を表示する表示装置を構成することができる。
【発明を実施するための最良の形態】
【００１７】
以下、本発明の実施形態を図面に基づいて説明する。
【００１８】
（第１実施形態）
図１は、本発明の第１実施形態による表示装置を示す斜視図である。図２は、本発明の第１実施形態による表示装置の分解斜視図である。図３〜図５は、本発明の第１実施形態による表示装置の構成を説明するための図である。図１〜図５を参照して、本発明の第１実施形態による表示装置１００の構成について説明する。
【００１９】
本発明の第１実施形態による表示装置１００は、図１および図２に示すように、液晶制御素子１と、基材２とを備えている。液晶制御素子１は、液晶層１ａ（図３参照）を挟むように設けられた一対の平坦面状の基板１ｂおよび１ｃと、基板１ｂおよび１ｃを挟むように配置された偏光板１ｄおよび１ｅとを備えている。
【００２０】
図３に示すように、基板１ｂおよび１ｃ間には、液晶層１ａが封入されている。また、基板１ｂおよび１ｃ間には、画素３が複数形成されているとともに、各画素３は、画素電極３ａと共通電極３ｂとを含んでいる。具体的には、基板１ｂ上に、各画素３毎に画素電極３ａが形成されているとともに、基板１ｃ上には、画素電極３ａに対向する位置に共通電極（対向電極）３ｂが形成されている。基板１ｃには、基材２に対して画素３間の光を遮るために遮光膜（ブラックマトリクス）３ｃが設けられている一方、カラーフィルタは設けられていない。また、偏光板１ｄに対向する位置にはバックライト４が配置されている。そして、基板１ｂおよび１ｃの画素電極３ａおよび共通電極３ｂ間に印加される電界により液晶層１ａの液晶分子が駆動されるとともに、バックライト４からの光量が偏光板１ｄと、基板１ｂおよび１ｃ間の液晶層１ａと、偏光版１ｅとにより調整されて基材２側に照射されるように構成されている。また、バックライト４から基材２側に照射される光としては、たとえば、近紫外ＬＥＤなどによる短波長の光で、かつ、指向性が強く、平行光であることが好ましい。なお、液晶制御素子１は、本発明の「光調整部」の一例であり、バックライト４は、本発明の「光源」の一例である。
【００２１】
基材２は、ガラスまたは透明樹脂により形成された平坦面部２ａと、第１傾斜面２ｂおよび第２傾斜面２ｃを有する凸形状の三角形状部２ｄとにより構成されている。また、基材２の三角形状部２ｄは、Ｙ方向に延びるように形成されているとともに、Ｘ方向に沿って平坦面部２ａ上に複数配置されている。各々の三角形状部２ｄは、赤色（Ｒ）、緑色（Ｇ）および青色（Ｂ）に対応する画素３に対応するように配置されているとともに、第１傾斜面２ｂおよび第２傾斜面２ｃの各々が、１つの画素３に対応するように設けられている。
【００２２】
画素３は、図３および図４に示すように、平面的に見て、マトリクス状に形成されている。また、Ｘ方向に沿って配置された三角形状部２ｄは、第１傾斜面２ｂおよび第２傾斜面２ｃがそれぞれ１列の画素３に対応するように配置されている。また、各々の三角形状部２ｄの表面には、三角形状部２ｄ毎に赤色（Ｒ）、緑色（Ｇ）および青色（Ｂ）にそれぞれ対応する蛍光体層５が、塗布法によりこの順番に交互に設けられている。具体的には、赤色の画素３に対応する三角形状部２ｄの表面には赤色に対応する蛍光体層５ａが形成されているとともに、同様に、緑色および青色の画素３に対応する三角形状部２ｄには、それぞれ、緑色および青色に対応する蛍光体層５ｂおよび５ｃが形成されている。そして、各々の三角形状部２ｄの第１傾斜面２ｂおよび第２傾斜面２ｃは、それぞれ、表示装置１００の表示面としての機能を有する。また、各々の蛍光体層５ａ、５ｂおよび５ｃは、それぞれ、液晶制御素子１の各画素３から照射された光に対して、三角形状部２ｄの第１傾斜面２ｂおよび第２傾斜面２ｃ上において面発光するように構成されている。なお、蛍光体層５は、本発明の「発光体層」の一例であるとともに、第１傾斜面２ｂおよび第２傾斜面２ｃにそれぞれ設けられた蛍光体層５は、「第１発光体層」および「第２発光体層」の一例である。
【００２３】
また、基材２の表面には、たとえば、透明樹脂などからなる平坦化膜６が形成されているとともに、平坦化膜６の表面上には、基材２における三角形状部２ｄの第１傾斜面２ｂと第２傾斜面２ｃとにより形成される稜線部に対応する位置毎に、稜線部と所定の間隔を隔ててＹ方向に延びる遮光膜７が形成されている。また、遮光膜７は、従来の各画素の略半分を遮光する視差バリア層とは異なり、三角形状部２ｄの第１傾斜面２ｂおよび第２傾斜面２ｃとにより形成される稜線部に対応する部分にのみ設けられていることにより、各画素３から照射される略全ての光が第１傾斜面２ｂおよび第２傾斜面２ｃから照射されるように構成されている。なお、遮光膜７は、たとえば、メタルまたは黒い樹脂からなる。
【００２４】
また、図３および図５に示すように、バックライト４から照射された光は、液晶制御素子１を介して画素３毎に三角形状部２ｄの第１傾斜面２ｂおよび第２傾斜面２ｃにそれぞれ入射されるとともに、第１傾斜面２ｂおよび第２傾斜面２ｃにおいて、それぞれ入射した光の強さに応じて面発光するように構成されている。そして、図５に示すように、第１傾斜面２ｂにおいて面発光する光（図５のＲ１、Ｇ１およびＢ１）は、矢印Ｘ１方向側に位置する角度θ１の範囲内（第１表示領域）において観測可能なように構成されている。これは、第１傾斜面２ｂにおいて面発光した光が、隣接し合う遮光膜７間から出射可能な範囲が角度θ１の第１表示領域に相当している。同様に、第２傾斜面２ｃにおいて面発光する光（図５のＲ２、Ｇ２およびＢ２）は、矢印Ｘ２方向側に位置する角度θ２の範囲内（第２表示領域）において出射可能なように構成されている。これにより、第１実施形態では、各三角形状部２ｄの第１傾斜面２ｂから第１表示領域に表示される映像の光（画素３から照射されるＲ１、Ｇ１およびＢ１）が第１表示領域に供給されるとともに、第２傾斜面２ｃから第２表示領域に表示される映像の光（画素３から照射されるＲ２、Ｇ２およびＢ２）が第２表示領域に供給されるように構成されている。また、このとき、遮光膜７のＸ方向の幅の大きさを調整することにより、第１表示領域および第２表示領域における観察可能範囲（角度θ１およびθ２）の調整が可能なように構成されている。なお、第１表示領域および第２表示領域は、本発明の「第１の観察領域」および「第２の観察領域」の一例である。
【００２５】
第１実施形態では、上記のように、第１表示領域の観察者に映像を提供する第１傾斜面２ｂと第２表示領域の観察者に映像を提供する第２傾斜面２ｃとを有する三角形状部２ｄを設けるとともに、第１傾斜面２ｂおよび第２傾斜面２ｃに、それぞれ、画素３からの光に対して面発光する蛍光体層５（５ａ、５ｂおよび５ｃ）を設けることによって、視差バリアを用いることなく、第１表示領域の観察者には第１傾斜面２ｂの映像を到達させることができるとともに、第２表示領域の観察者には、第２傾斜面２ｃの映像を到達させることができる。したがって、映像表示のために各々の画素が略半分ずつしか使用されない従来の視差バリアを設ける場合に比べて光の供給率（開口率）が高くなるので、その分、表示される映像の輝度が低下するのを抑制することができる。また、第１表示面および第２表示面にそれぞれ設けられた発光体層が面発光するので、第１の観察領域および第２の観察領域のそれぞれにおいて、視角に依存しない均一な特性を得ることができる。さらに、第１傾斜面２ｂおよび第２傾斜面２ｃにそれぞれ設けられた蛍光体層５（５ａ、５ｂおよび５ｃ）自体が面発光するので、光の一部が吸収されるカラーフィルタにより表示を行う場合に比べて、より高輝度な映像を表示することができる。
【００２６】
また、第１実施形態では、平面的に見て、液晶制御素子１の画素３部分に、表示面である基材２の三角形状部２ｄが重なるように配置するとともに、三角形状部２ｄにおける液晶制御素子１の各々の画素３に対応する位置に面発光する蛍光体層５を設けることによって、液晶制御素子１の各画素３からの光がそれぞれ対応する蛍光体層５に照射されるので、第１傾斜面２ｂおよび第２傾斜面２ｃに確実に映像を表示することができる。また、蛍光体層５が各画素３の位置に対応するように設けられているので、容易に、各画素３毎に対応する色に面発光させることができる。
【００２７】
また、第１実施形態では、第１傾斜面２ｂに設けられた蛍光体層５の光、および、第２傾斜面２ｃに設けられた蛍光体層５の光がそれぞれ照射される範囲を調整する遮光膜７を備えることによって、遮光膜７により第１傾斜面２ｂの観測可能範囲および第２傾斜面２ｃの観測可能範囲を容易に調整することができる。
【００２８】
また、第１実施形態では、第１傾斜面２ｂおよび第２傾斜面２ｃを有する凸形状の三角形状部２ｄを備えるとともに、蛍光体層５ａ、５ｂおよび５ｃを、それぞれ、第１傾斜面２ｂおよび第２傾斜面２ｃの表面に沿って設けることによって、第１傾斜面２ｂおよび第２傾斜面２ｃが表示面として構成されるので、表示面が傾斜している分、蛍光体層５が観察者に対して対向する領域が大きくなる。したがって、より表示される映像の輝度を高くすることができる。
【００２９】
また、第１実施形態では、三角形状部２ｄの一方の傾斜面である第１傾斜面２ｂがそのまま第１表示領域の表示面として構成されるとともに、他方の傾斜面である第２傾斜面２ｃがそのまま第２表示領域の表示面として構成されるので、確実に各々の観察者に対して輝度の高い映像を供給することができる。また、各傾斜面に対して画素３が１つずつ対応するように配置されているので、１つの画素３からの光のうち略半分のみを供給する従来の表示装置に比べて、より輝度が高く、精細な画像を供給することができる。
【００３０】
また、第１実施形態では、三角形状部２ｄの第１傾斜面２ｂと第２傾斜面２ｃとにより形成される稜線部に対応する平坦化膜６の表面位置に、遮光膜７を稜線部と所定の間隔を隔てて配置することによって、第１傾斜面２ｂと第２傾斜面２ｃとの境界部分において、第１傾斜面２ｂおよび第２傾斜面２ｃからの光が互いに反対側の表示領域側に向けて照射されるのを抑制することができる。
【００３１】
また、第１実施形態では、遮光膜７のＸ方向に沿った幅の大きさを調整することにより、第１表示領域の観測可能範囲（角度θ１）および第２表示領域の観測可能範囲（角度θ２）を、容易に調整することができる。
【００３２】
また、第１実施形態では、蛍光体層５が設けられた第１傾斜面２ｂおよび第２傾斜面２ｃを、液晶制御素子１から照射された光により面発光するように構成することによって、たとえば、カラーフィルタにより表示を行う従来の液晶表示装置と異なり液晶の視界特性がないので、視野角の広い表示装置１００を得ることができる。
【００３３】
（第２実施形態）
図６は、本発明の第２実施形態における表示装置の構成を説明するための拡大断面図である。第２実施形態における表示装置２００では、平坦化膜６の表面上に遮光膜７を形成した第１実施形態とは異なり、各々の三角形状部２０２ｄの第１傾斜面２０２ｂおよび第２傾斜面２０２ｃとにより形成される稜線部に接触するように遮光膜２０７が形成された例について説明する。
【００３４】
本発明の第２実施形態における表示装置２００では、遮光膜２０７が、三角形状部２０２ｄにおける第１傾斜面２０２ｂおよび第２傾斜面２０２ｃにより形成される稜線部に接触するように配置されている。そして、第２実施形態では、遮光膜２０７のＺ方向の厚みを調整することにより、第１表示領域の観測可能範囲（角度θ３）と、第２表示領域の観測可能範囲（角度θ４）とを調整可能なように構成されている。
【００３５】
また、第１実施形態と同様に、各々の三角形状部２０２ｄは、赤色（Ｒ）、緑色（Ｇ）および青色（Ｂ）に対応する画素３に対応するように配置されているとともに、第１傾斜面２０２ｂおよび第２傾斜面２０２ｃの各々が、１つの画素３に対応するように設けられている。また、各三角形状部２０２ｄの表面には蛍光体層２０５が設けられている。具体的には、赤色の画素３に対応する三角形状部２０２ｄの表面には赤色に対応する蛍光体層２０５ａが形成されているとともに、同様に、緑色および青色の画素３に対応する三角形状部２０２ｄの表面には、それぞれ、緑色および青色に対応する蛍光体層２０５ｂおよび２０５ｃが形成されている。
【００３６】
また、第１実施形態と同様に、遮光膜２０７は、従来の各画素の略半分を遮光する視差バリア層とは異なり、三角形状部２０２ｄの第１傾斜面２０２ｂおよび第２傾斜面２０２ｃにより形成される稜線部にのみ接触するように設けられていることにより、各画素３から照射される略全ての光が第１傾斜面２０２ｂおよび第２傾斜面２０２ｃから照射されるように構成されている。
【００３７】
また、遮光膜２０７は、従来の各画素の略半分を遮光する視差バリア層とは異なり、三角形状部２０２ｄの第１傾斜面２０２ｂおよび第２傾斜面２０２ｃにより形成される稜線部にのみ設けられていることにより、各画素３から照射される略全ての光が第１傾斜面２０２ｂおよび第２傾斜面２０２ｃから照射されるように構成されている。
【００３８】
なお、第２実施形態における表示装置２００のその他の構成および動作は、第１実施形態と同様である。
【００３９】
第２実施形態では、上記のように、遮光膜２０７を、三角形状部２０２ｄにおける第１傾斜面２０２ｂと第２傾斜面２０２ｃとにより形成される稜線部に接触するように配置することによって、遮光膜２０７が、三角形状部２０２ｄの第１傾斜面２０２ｂと第２傾斜面２０２ｃとの境界部分に直接形成されるので、第１傾斜面２０２ｂと第２傾斜面２０２ｃとの境界部分において第１傾斜面２０２ｂおよび第２傾斜面２０２ｃからの光が互いに反対側の表示領域側に照射されるのをより確実に抑制することができる。
【００４０】
また、上記第２実施形態では、遮光膜２０７のＺ方向の厚みを調整することにより、第１表示領域および第２表示領域の観測可能範囲（角度θ３およびθ４）を容易に調整することができる。
【００４１】
なお、第２実施形態における表示装置２００のその他の効果は、第１実施形態と同様で
ある。
【００４２】
（第３実施形態）
図７は、本発明の第３実施形態における表示装置の構成を説明するための拡大断面図である。第３実施形態における表示装置３００では、三角形状部２ｄの第１傾斜面２ｂおよび第２傾斜面２ｃをそれぞれ第１表示領域および第２表示領域に対する表示面として構成した第１実施形態とは異なり、平坦面部３０２ａをそれぞれ第１表示領域および第２表示領域に対する表示面として構成した例について説明する。
【００４３】
本発明の第３実施形態による表示装置３００は、平坦面部３０２ａの表面上に、２列分の画素３毎に対応する位置毎に、赤色（Ｒ）に対応する蛍光体層３０５ａ、緑色（Ｇ）に対応する蛍光体層３０５ｂおよび青色（Ｂ）に対応する蛍光体層３０５ｃからなる蛍光体層３０５がこの順番で交互に配置されている。そして、各々の蛍光体層３０５の表面の中央部分には、２列分の画素３からそれぞれ到達する光を、それぞれ、第１表示領域に対応する第１表示面３０１ｂと第２表示領域に対応する第２表示面３０１ｃとにおいて分割して発光させるための遮光壁部３０７が設けられている。これにより、第１表示領域に表示する映像の光（Ｒ１、Ｇ１およびＢ１）が蛍光体層３０５の第１表示面３０１ｂに対応する領域においてのみ面発光するとともに、第２表示領域に表示する映像の光（Ｒ２、Ｇ２およびＢ２）が蛍光体層３０５の第２表示面３０１ｃに対応する領域においてのみ面発光する。そして、互いに隣接し合う遮光壁部３０７間から、角度θ５の範囲で第１表示領域に対応する光（Ｒ１）が照射されるとともに、角度θ６の範囲で第２表示領域に対応する光（Ｒ２）が照射される。
【００４４】
また、第３実施形態では、遮光壁部３０７におけるＺ方向に沿った長さを調整することにより、第１表示領域の観測可能範囲（角度θ５）および第２表示領域の観測可能範囲（角度θ６）の大きさを調整可能なように構成されている。
【００４５】
また、遮光壁部３０７は、従来の各画素の略半分を遮光する視差バリア層とは異なり、第１表示面３０１ｂおよび第２表示面３０１ｃを分割する位置に、蛍光体層３０５ａおよび３０５ｂを遮光しないように設けられていることにより、各画素３から照射される略全ての光が第１表示面３０１ｂおよび第２表示面３０１ｃから照射されるように構成されている。
【００４６】
なお、第３実施形態のその他の構成および動作は、第１実施形態と同様である。
【００４７】
第３実施形態では、上記のように、平坦面部３０２ａの表面に沿って蛍光体層５を設けるとともに、平坦面部３０２ａを第１表示面３０１ｂと第２表示面３０１ｃとに分割するための遮光壁部３０７を設けることによって、表示面が平坦形状である分、表示面としての基材を突起形状に形成する場合に比べて容易に形成することができる。また、面発光する蛍光体層３０５を用いることにより、平坦面状の表示面を用いながら、高輝度を維持した二重映像表示が可能な表示装置を構成することができる。
【００４８】
また、上記第３実施形態では、遮光壁部３０７のＺ方向に沿った長さを調整することにより、第１表示面３０１ｂの観測可能範囲（角度θ５）および第２表示面３０１ｃの観測可能範囲（θ６）を容易に調整することができる。
【００４９】
なお、第３実施形態のその他の効果は、上記第１実施形態の効果と同様である。
【００５０】
（第４実施形態）
図８および図９は、本発明の第４実施形態における表示装置の構成を説明するための拡大断面図である。第４実施形態における表示装置４００では、三角形状部２ｄを表示面として構成した第１実施形態とは異なり、表示面を台形状に形成した例について説明する。
【００５１】
第４実施形態における表示装置４００では、図８に示すように、平坦面部４０２ａの表面上に、第１傾斜面４０２ｂ、第２傾斜面４０２ｃおよび上面４０２ｄを含む台形状部４０２ｅがＸ方向に沿って複数配置されている。台形状部４０２ｅは、第１傾斜面４０２ｂ、第２傾斜面４０２ｃおよび上面４０２ｄ毎に、それぞれ１列の画素３が対応するように設けられている。各々の台形状部４０２ｅには、それぞれ、第１傾斜面４０２ｂと上面４０２ｄとを分割する遮光壁部４０７ａ、および、第２傾斜面４０２ｃと上面４０２ｄとを分割する遮光壁部４０７ｂが設けられている。
【００５２】
また、各々の台形状部４０２ｅ毎に、それぞれ、第１傾斜面４０２ｂ、第２傾斜面４０２ｃおよび上面４０２ｄの表面に赤（Ｒ）に対応する蛍光体層４０５ａ、緑（Ｇ）に対応する蛍光体層４０５ｂおよび青（Ｂ）に対応する蛍光体層４０５ｃからなる蛍光体層４０５がこの順番で交互に設けられている。これにより、第１表示領域に表示する映像に対応する光（Ｒ１、Ｇ１およびＢ１）が第１傾斜面４０２ｂにおいて面発光するとともに、第２表示領域に表示する映像の光（Ｒ２、Ｇ２およびＢ２）が第２傾斜面４０２ｃにおいて面発光するように構成されている。
【００５３】
ここで、第４実施形態では、図９に示すように、台形状部４０２ｅの上面４０２ｄは、第１表示領域および第２表示領域とは異なる領域の第３表示領域に対する表示面として機能するように構成されている。具体的には、台形状部４０２ｅの上面４０２ｄは、バックライト４からの光が屈折されることなくＺ方向に透過するように構成されており、表示装置４００の正面部分（第３表示領域）に位置する観察者が観測可能なように構成されている。
【００５４】
また、第４実施形態では、液晶制御素子１を制御することにより、台形状部４０２ｅの上面４０２ｄに対応する画素３から上面４０２ｄに光を供給する場合と光を供給しない場合とに切替可能に構成されている。これにより、台形状部４０２ｅの上面４０２ｄに光を供給しない場合、図８に示すように、台形状部４０２ｅの第１傾斜面４０２ｂにおいては第１表示領域に対応する光（Ｒ１、Ｇ１およびＢ１）が供給されて面発光するとともに、第２傾斜面４０２ｃにおいては第２表示領域に対応する光（Ｒ２、Ｇ２およびＢ２）が供給されて面発光する一方で、上面４０２ｄには光が供給されず発光しない。これにより、第１〜第３実施形態と同様に、第１表示領域および第２表示領域において、それぞれ異なる映像が表示可能なように構成されている。
【００５５】
また、台形状部４０２ｅの上面４０２ｄに光を供給する場合、図９に示すように、たとえば、台形状部４０２ｅの第１傾斜面４０２ｂ、第２傾斜面４０２ｃおよび上面４０２ｄに対して同じ映像の光（Ｒ３、Ｇ３およびＢ３）を供給することにより、第１傾斜面４０２ｂ、第２傾斜面４０２ｃおよび上面４０２ｄにおいてそれぞれ同じ映像の光（Ｒ３、Ｇ３およびＢ３）が面発光する。これにより、第１表示領域および第２表示領域に加えて表示装置４００の正面に位置する第３表示領域において、同一の映像が表示可能なように構成されている。
【００５６】
また、従来の各画素の略半分を遮光する視差バリア層とは異なり、遮光壁部４０７ａおよび４０７ｂは、それぞれ、第１傾斜面４０２ｂおよび上面４０２ｄの境界部分のみと、第２傾斜面４０２ｃおよび上面４０２ｄの境界部分のみとを遮断するように配置されており、蛍光体層４０５ａ、４０５ｂおよび４０５ｃを略遮光しないように設けられていることにより、各画素３から照射される略全ての光が第１傾斜面４０２ｂ、第２傾斜面４０２ｃおよび上面４０２ｄから照射されるように構成されている。
【００５７】
なお、第４実施形態のその他の構成および動作は、上記第１実施形態と同様である。
【００５８】
第４実施形態では、上記のように、表示面として平坦面部４０２ａの表面上に凸形状の台形状部４０２ｅを配置することによって、台形状部４０２ｅの上面４０２ｄを第１表示領域および第２表示領域とは異なる第３表示領域（表示装置４００の正面部分）に位置する観察者に対して映像を提供することができる。
【００５９】
また、第４実施形態では、液晶制御素子１を制御することにより、台形状部４０２ｅの上面４０２ｄから映像を表示させる場合と表示させない場合とを切替可能に構成することができるので、必要に応じて、表示装置４００を表示面から同一の映像が表示される通常の表示装置として機能させる場合と、左右の異なる観察位置からそれぞれ異なる映像を表示する二重映像表示装置として機能させる場合とを使い分けることができる。
【００６０】
なお、第４実施形態のその他の効果は第１実施形態と同様である。
【００６１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６２】
たとえば、上記第１〜第４実施形態では、一方の基板側に画素電極を設け、かつ、他方の基板側に共通電極を設けることにより縦電界を発生させる構成の液晶制御素子を表示装置に備える例を示したが、本発明はこれに限らず、たとえば、ＩＰＳモードやＦＦＳモードなどの一方の基板に画素電極および共通電極を設けることにより横電界を発生させる構成の液晶制御素子を本発明の光調整部として用いてもよい。
【００６３】
また、上記第１〜第４実施形態では、光調整部の一例として液晶制御素子を用いる例を示したが、本発明はこれに限らず、光源から照射される光に対するシャッタとしての機能を有していれば、液晶制御素子以外の機構であってもよい。
【００６４】
また、上記第１〜第４実施形態では、赤色、緑色および青色に発光する蛍光体層を基材に塗布により形成する例を示したが、本発明はこれに限らず、赤色、緑色および青色以外の色に発光する蛍光体層を形成してもよい。また、蛍光体層を塗布以外の方法により基材に形成してもよい。
【００６５】
また、上記第１〜第４実施形態では、発光体層として蛍光体層を用いる例を示したが、本発明はこれに限らず、蛍光体以外の発光体からなる層を設けてもよい。
【００６６】
また、上記第１、第２および第４実施形態では、１つの三角形状部または台形状部にそれぞれ１つの色が対応するように蛍光体層を形成する例を示したが、本発明はこれに限らず、複数の三角形状部または台形状部に１つの色が対応するように蛍光体層を形成してもよい。さらに、１つの色に対応する複数の三角形状部または台形状部の形状をそれぞれ異なる形状としてもよい。
【００６７】
また、上記第１、第２および第４実施形態では、発光面として機能させる基材の一例として凸形状である三角形状および台形状の基材を用いる例を示したが、本発明はこれに限らず、たとえば、球状の基材であってもよいし、凹形状の基材を用いてもよい。
【００６８】
また、上記第１〜第４実施形態では、各々の表示領域の範囲を調整するための遮光膜を形成する例を示したが、本発明ではこれに限らず、遮光膜を形成しない場合も二重映像表示に対して適用可能である。
【００６９】
また、上記第１〜第４実施形態では、第１の表示領域の観察者と第２の表示領域の観察者に対して異なる映像を供給する二重映像表示の例を示したが、第１の表示領域を観察者の右眼とし、第２の表示領域を観察者の左眼として、それぞれに右眼画像と左眼画像を供給して立体表示する場合に対して適用可能である。
【図面の簡単な説明】
【００７０】
【図１】本発明の第１実施形態による表示装置の斜視図である。
【図２】本発明の第１実施形態による表示装置の分解斜視図である。
【図３】本発明の第１実施形態による表示装置の断面図である。
【図４】本発明の第１実施形態による表示装置の平面図である。
【図５】本発明の第１実施形態による表示装置の拡大断面図である。
【図６】本発明の第２実施形態による表示装置の拡大断面図である。
【図７】本発明の第３実施形態による表示装置の拡大断面図である。
【図８】本発明の第４実施形態による表示装置の拡大断面図である。
【図９】本発明の第４実施形態による表示装置の拡大断面図である。
【符号の説明】
【００７１】
１  液晶制御素子（光調整部）
２ａ  ３０２ａ  ４０２ａ  平坦面部（基材）
２ｂ  ２０２ｂ  ４０２ｂ  第１傾斜面（表示面）（第１表示面）
２ｃ  ２０２ｃ  ４０２ｂ  第２傾斜面（表示面）（第２表示面）
２ｄ  ２０２ｄ  三角形状部（基材）
３  画素
５  ２０５  ３０５  ４０５  蛍光体層（第１発光体層）（第２発光体層）
６  平坦化膜
７  ２０７  遮光膜
１００  ２００  ３００  ４００  表示装置
３０７  遮光壁部
４０２ｄ  上面（第３表示面）
４０２ｅ  台形状部（基材）
４０５  蛍光体層（第３発光体層）
【図１】
2010091767.tif 000003
【図２】
2010091767.tif 000004
【図３】
2010091767.tif 000005
【図４】
2010091767.tif 000006
【図５】
2010091767.tif 000007
【図６】
2010091767.tif 000008
【図７】
2010091767.tif 000009
【図８】
2010091767.tif 000010
【図９】
2010091767.tif 000011